(57)【特許請求の範囲】
【請求項１】
天板を脚柱で支持したテーブルにパネル等のオプションを取付けてなるオプション取付装置であって、上端が開放した筒状の前記脚柱の上端部に下方開放した上端キャップを着脱可能に取付け、該上端キャップの中央部に前記オプションの支持部材下端を嵌挿する上下貫通した挿通孔を形成するとともに、内部に上下方向のリブを形成し、該挿通孔を覆う蓋体の閉塞板の下面に複数の嵌合片を突設し、前記上端キャップの上面に前記嵌合片を嵌挿する嵌合部を形成して蓋体を着脱可能となし、上端キャップの上面から外した前記蓋体を閉塞板を前記リブに当接し且つ嵌合片を内壁面に当接して内部に格納してなることを特徴とするテーブルのオプション取付装置。
【請求項２】
前記上端キャップの下端縁には、下方へ開放した切欠部を形成し、該上端キャップの内部に格納した前記蓋体の少なくとも１つの嵌合片を前記切欠部に側方から臨ませてなる請求項１記載のテーブルのオプション取付装置。
【請求項３】
前記上端キャップの上面であって前記挿通孔の周囲に段落ちした凹部を形成するとともに、該凹部内に前記嵌合片を嵌挿する嵌合部を形成し、前記凹部内に蓋体の閉塞板を埋設した状態で着脱自在に嵌合してなる請求項１又は２記載のテーブルのオプション取付装置。
【請求項４】
前記嵌合部が上下に貫通した係合孔であり、前記上端キャップの内部に格納した前記蓋体の閉塞板の少なくとも一部を前記係合孔に上方から臨ませてなる請求項１〜３何れかに記載のテーブルのオプション取付装置。
【発明の詳細な説明】
【０００１】
【発明の属する技術分野】
本発明は、テーブルのオプション取付装置に係わり、更に詳しくは例えばテーブルの脚柱にパネルや照明器具等のオプションの支持部材を取付けるためのテーブルのオプション取付装置に関するものである。
【０００２】
【従来の技術】
従来、机やテーブル等の天板等の固定部に取付孔を形成し、支柱を該取付孔内に螺合又は嵌挿して立設し、支柱にパネルや照明器具等のオプションを取付けるようになしたものは各種提供されている。
【０００３】
また、スチール製パイプの上端に、他の棒状の支持部材を立起状態で取付ける構造として、前記パイプの上端部内に、中央部に支持孔を形成した固定板を溶接し、上端には中央部に挿通孔を形成した合成樹脂製のキャップを取付け、前記支持部材の下端部を前記挿通孔と支持孔とに嵌挿する構造も知られている。
【０００４】
しかし、オプションの支持部材を上端キャップに取付けない場合には、前記挿通孔が露出して外観性を損ない、また前記挿通孔を覆うように蓋体を上端キャップの上面に着脱可能に取付けるようになした場合には、オプションの支持部材を上端キャップに取付けるときに、前記蓋体を外さなくてはならず、その際に蓋体が必要になるまで紛失しないように保管しなければならず、その管理に手間がかかるといった不都合がある。それを避けるためには、蓋体付きキャップ又は挿入孔の無いキャップの２種類を使い分けて用いる必要があり、コスト高になる。
【０００５】
【発明が解決しようとする課題】
本発明が前述の状況に鑑み、解決しようとするところは、天板を脚柱で支持したテーブルにパネルや照明器具等のオプションを取付けてなるオプション取付装置において、前記脚柱の上端部に取付けた上端キャップの挿通孔を利用してオプションを支持する支持部材を簡単に取付けることができるとともに、オプションの支持部材を取付けない場合には蓋体で挿通孔を覆って外観性を向上させ、オプションの支持部材を取付ける場合には外した蓋体を格納して紛失を防止することが可能なテーブルのオプション取付装置を提供する点にある。
【０００６】
【課題を解決するための手段】
本発明は、前述の課題解決のために、天板を脚柱で支持したテーブルにパネル等のオプションを取付けてなるオプション取付装置であって、上端が開放した筒状の前記脚柱の上端部に下方開放した上端キャップを着脱可能に取付け、該上端キャップの中央部に前記オプションの支持部材下端を嵌挿する上下貫通した挿通孔を形成するとともに、内部に上下方向のリブを形成し、該挿通孔を覆う蓋体の閉塞板の下面に複数の嵌合片を突設し、前記上端キャップの上面に前記嵌合片を嵌挿する嵌合部を形成して蓋体を着脱可能となし、上端キャップの上面から外した前記蓋体を閉塞板を前記リブに当接し且つ嵌合片を内壁面に当接して内部に格納してなるテーブルのオプション取付装置を構成した。
【０００７】
ここで、前記上端キャップの下端縁には、下方へ開放した切欠部を形成し、該上端キャップの内部に格納した前記蓋体の少なくとも１つの嵌合片を前記切欠部に側方から臨ませてなることが好ましい。
【０００８】
更に、前記上端キャップの上面であって前記挿通孔の周囲に段落ちした凹部を形成するとともに、該凹部内に前記嵌合片を嵌挿する嵌合部を形成し、前記凹部内に蓋体の閉塞板を埋設した状態で着脱自在に嵌合してなることが好ましい。
【０００９】
また、前記嵌合部が上下に貫通した係合孔であり、前記上端キャップの内部に格納した前記蓋体の閉塞板の少なくとも一部を前記係合孔に上方から臨ませてなることも好ましい。
【００１０】
【発明の実施の形態】
次に本発明の実施の形態を添付図面に基づき更に詳細に説明する。図１は本発明を適用するテーブルを示し、図２は本発明によってテーブルの後部に目隠しパネルを立設した状態を示し、図３〜図７は本発明に係るオプション取付装置の要部を示し、図中符号Ａはテーブル、Ｂはオプションの一例としてのパネル、１は天板、２は脚柱、３は固定部材、４は上端キャップ、５は支持部材をそれぞれ示している。
【００１１】
本実施形態におけるテーブルＡは、異形天板１の四隅部を４本の脚柱２，…で支持し、後部の２本の脚柱２，２は、それぞれ固定部材３，３で天板１に連結した状態で、天板１の一部に形成した湾曲凹部６，６に上端部を露出し、この上端部が露出した脚柱２，２にそれぞれ上端キャップ４を装着し、前記固定部材３と上端キャップ４とで支持部材５を立起状態で保持し、両支持部材５、５を利用してパネルＢを取付けたものである。尚、本発明はテーブル以外に同様な構造の机にも適用でき、またオプションとしてはパネル以外に照明器具、電話台、書見台、ペントレー等も採用できるのである。
【００１２】
更に詳しくは、前記脚柱２は、上端が開放した筒状であり、本実施形態ではスチール製の丸パイプからなるものを例示した。また、前記固定部材３は、同じくスチール製であり、前記天板１の下面にネジ止め等の適宜な固定手段で取付ける取付体７と、該取付体７に溶接して略水平に延びた支持杆８とからなり、本実施形態では前記支持杆８を角パイプで形成している。そして、前記脚柱２の上端部側面に形成した開口９内に、前記支持杆８を挿入して溶接にて固定するとともに、前記脚柱２内の中央部に位置する当該支持杆８に上下貫通した支持孔１０を形成している。
【００１３】
また、前記上端キャップ４は、合成樹脂で一体成形したものであり、前記脚柱２の上端に嵌着する本体部１１と、該本体部１１に下設した一対の脚片１２，１２とからなる。前記本体部１１には、その中央部に上下貫通した挿通孔１３を形成している。そして、前記上端キャップ４の本体部１１を前記脚柱２の上端縁部１４に嵌合するとともに、前記脚柱２内に位置する前記支持杆８の両側部を両脚片１２，１２で抱え込み且つ該脚片１２，１２の先端に互いに対向する方向に突設した係合突起１５，１５で抜け止めしている。
【００１４】
そして、図６に示すように、前記オプションの支持部材５の下端を前記上端キャップ４の挿通孔１３と前記支持杆８の支持孔１０に嵌挿して、立起状態に保持するのである。ここで、前記挿通孔１３は、合成樹脂の成形で形成するので寸法精度が高く、前記支持部材５の下端をガタツキ無く嵌挿することが可能である。また、前記支持杆８は、スチール製角パイプで形成しているので、該支持杆８の上面８Ａと下面８Ｂとにそれぞれ支持孔１０，１０が間隔を隔てた位置に貫通状態で形成されており、この両支持孔１０，１０に嵌挿した支持部材５の下端は２点で支持されるので、支持部材５の上部に横方向からの力が加わっても強固に支持できるのである。
【００１５】
また、前記上端キャップ４の本体部１１の上面であって前記挿通孔１３の周囲に段落ちした凹部１６を形成し、前記凹部１６内に蓋体１７を着脱自在に嵌合し、前記オプションを取付ける際には、前記蓋体１７を取り去って、前記支持部材５を構成する支柱１８の下端を前記凹部１６に嵌合するとともに、該支柱１８の下端に延設した小径の軸部１９を前記挿通孔１３と支持孔１０に嵌挿するようになっている。
【００１６】
更に、前記脚片１２，１２は、本体部１１から互いに平行に延びた板状片であり、その先端部の両側縁に沿って前記支持杆８の側面８Ｃに当接する突縁２０，２０を形成し、両突縁２０，２０の先端に三角形状の前記係合突起１５，１５を突設し、また脚片１２，１２の基部の外面側には中心線に沿って先端方向になるにつれて低くなる補強リブ２１を本体部１１内の連結リブ２２の延長として設けている。従って、前記脚片１２，１２は、補強リブ２１と突縁２０，２０が設けられた部分では剛性があるが、中間部は内外への弾力性を備えている。
【００１７】
ここで、前記脚片１２，１２には、アンダーカット部（係合突起１５）を有するので、成形金型の一方からの抜きだけでは成形できない。そのため、前記凹部１６に、上方から両脚片１２，１２の各両突縁２０，２０と係合突起１５，１５が露出する連通開口２３が形成され、該連通開口２３の中央部にその間隔よりも直径が大きな円弧を形成して前記挿通孔１３となしている。そして、前記連通開口２３の両側縁に沿った下方に、その輪郭と同形の中央リブ２４，２４を形成している。更に、前記各中央リブ２４の外側には本体部１１の内壁面２５から対向する方向に延び且つ間に所定の空間を設けて一対の側方リブ２６，２６をそれぞれ形成している。
【００１８】
ここで、一方の対の側方リブ２６，２６は、前記本体部１１から下方へ延設して挟持片２７，２７となし、両挟持片２７，２７の間隔を前記支持杆８の両側面８Ｃ，８Ｃの間隔と一致させ、前記上端キャップ４を脚柱２の上端に嵌着した際に、両挟持片２７，２７が前記支持杆８の両側面８Ｃ，８Ｃに当接し、上端キャップ４の回転を規制し、前記両脚片１２，１２の捩れを防止している。つまり、前記挟持片２７，２７は、上端キャップ４の中心線から偏心した位置に形成されているので、上端キャップ４の回転方向が挟持片２７の略幅方向になるから、回転が確実に規制されるのである。
【００１９】
前記蓋体１７は、図４及び図５に示すように、前記凹部１６の平面視形状と同じで、凹部１６の深さと厚さが同じ閉塞板２８の下面中央部に円筒状の突起２９を形成するとともに、その周囲に９０°回転対称に４つの板状の嵌合片３０，…を突設している。更に、対角位置にある前記二対の嵌合片３０，３０は互いに平行となっている。
【００２０】
一方、前記上端キャップ４の凹部１６内には、前記蓋体１７の一対の嵌合片３０，３０を嵌入する係合孔３１，３１を該凹部１６の底面に形成し、前記蓋体１７の他の一対の嵌合片３０，３０は前記連通開口２３内に嵌入するような寸法関係に設定している。即ち、本発明における蓋体１７の嵌合片３０，…を嵌挿する嵌合部は、本実施形態では前記連通開口２３と係合孔３１，３１である。また、上端キャップ４の凹部１６内に、蓋体１７を嵌着した状態では、前記閉塞板２８は該凹部１６内に埋設された状態となり、上端キャップ４と蓋体１７の上面は略面一になる。
【００２１】
また、前記上端キャップ４の本体部１１の下部であって、前記挟持片２７，２７を形成した側の中間部には、本体部１１の下端縁に形成した前記脚柱２への嵌合縁３２よりも上方へ連続した切欠部３３を形成している。この切欠部３３は、上端キャップ４を脚柱２に嵌着した状態でも内外に開口しているので、該切欠部３３を利用して前記脚柱２の内部に配線したコード（図示せず）を天板１上に引き出すことが可能となっている。
【００２２】
そして、前記支持部材５を上端キャップ４の挿通孔１３と支持杆８の支持孔１０，１０とを利用して立設する場合には、前記蓋体１７は上端キャップ４から外す必要がある。それには、先ず前記上端キャップ４を脚柱２の上端部から抜き去り、該上端キャップ４の下方から前記蓋体１７の突起２９等の適所をドライバー等の工具で押して分離する。前記蓋体１７を上端キャップ４から外したままでは紛失する恐れがあるので、前記蓋体１７の嵌合片３０，…を外側に向け、閉塞板２８を前記両挟持片２７，２７の外側面にあてがい、上方へ滑らせながら側方リブ２６，２６へ至らせると、両側の前記嵌合片３０，３０の先端が本体部１１の内壁面２５に当接した状態で、前記蓋体１７の全体が本体部１１内に格納される。ここで、前記蓋体１７は、本体部１１内に密嵌しているから、自重で落下することはない。それから、内部に蓋体１７を格納したまま、前記上端キャップ４を前述のように脚柱２の上端部に嵌着する。最後に、前記支持部材５の軸部１９を上端キャップ４の挿通孔１３から支持杆８の支持孔１０，１０に嵌挿するとともに、支持部材５を構成する支柱１８の下端を前記凹部１６内に嵌合する。
【００２３】
逆に、立起状態の支持部材５を外す場合には、単に該支持部材５を上方へ引き抜いた後、前記上端キャップ４を脚柱２の上端部から抜き去り、図５及び図６に示すように、前記切欠部３３内に露出している蓋体１７の下方の嵌合片３０をドライバー等の工具で引っ掛けて本体部１１から引き出し、前記凹部１６内に当該蓋体１７を嵌着し、上端キャップ４を脚柱２の上端部に嵌着するのである。
【００２４】
尚、前記上端キャップ４のをコード挿通孔として利用する場合には、前記蓋体１７が配線の妨げになることがある。その場合には、前記蓋体１７を、切欠部３３とは反対側の他方の側方リブ２６，２６と内壁面２５間に格納することも可能である。しかし、この場合は、前記蓋体１７を上端キャップ４の本体部１１から引き出すためにドライバー等の工具を引っ掛ける部分が僅かの隙間に有するだけであるので、その作業に手間取ることが予測される。従って、図８に示したように、前記係合孔３１の一部の幅を拡大して形成した拡幅部３４を通して格納状態の蓋体１７の閉塞板２８の一部を露出させ、この露出部分をドライバー等の工具で押し出すことができるようにすることも好ましい形態である。
【００２５】
【発明の効果】
以上にしてなる請求項１に係る発明のテーブルのオプション取付装置は、天板を脚柱で支持したテーブルにパネル等のオプションを取付けてなるオプション取付装置であって、上端が開放した筒状の前記脚柱の上端部に下方開放した上端キャップを着脱可能に取付け、該上端キャップの中央部に前記オプションの支持部材下端を嵌挿する上下貫通した挿通孔を形成するとともに、内部に上下方向のリブを形成し、該挿通孔を覆う蓋体の閉塞板の下面に複数の嵌合片を突設し、前記上端キャップの上面に前記嵌合片を嵌挿する嵌合部を形成して蓋体を着脱可能となし、上端キャップの上面から外した前記蓋体を閉塞板を前記リブに当接し且つ嵌合片を内壁面に当接して内部に格納してなるので、脚柱の上端部に取付けた上端キャップの挿通孔を利用してオプションを支持する支持部材を簡単に取付けることができるとともに、オプションの支持部材を取付けない場合には蓋体で挿通孔を覆って外観性を向上させ、オプションの支持部材を取付ける場合には外した蓋体を上端キャップの内部に格納して紛失を防止することができる。
【００２６】
請求項２によれば、上端キャップの内部に格納した蓋体を、上端キャップの切欠部から挿入したドライバー等の工具を前記嵌合片に引っ掛けて、簡単に引き出すことができる。また、前記切欠部は、上端キャップを脚柱に嵌着した状態でも内外に開口しているので、該切欠部を利用して前記脚柱の内部に配線したコードを天板上に引き出すことができる。
【００２７】
請求項３によれば、上端キャップ上面の凹部内に、蓋体の閉塞板を埋設した状態で着脱自在に嵌合して挿通孔を覆うので、外観性に特に優れたものとなる。
【００２８】
請求項４によれば、上端キャップの内部に格納した蓋体を、上端キャップの係合孔から挿入したドライバー等の工具を前記嵌合片に押し当てて、簡単に押し出すことができる。
【図面の簡単な説明】
【図１】本発明に係るオプション取付装置を適用したテーブルを示す全体斜視図である。
【図２】同じく本発明に係るオプション取付装置を用いてテーブルの後部にパネルを立設した状態の全体斜視図である。
【図３】本発明に係るオプション取付装置の分解斜視図である。
【図４】上端キャップの拡大斜視図である。
【図５】上端キャップを脚柱の上端部に装着した状態の縦断面図である。
【図６】本発明に係るオプション取付装置を用いて支持部材を立設する状態を示す部分拡大断面図である。
【図７】蓋体を上端キャップの本体部に格納した状態の横断底面図である。
【図８】他の実施形態における蓋体を上端キャップの本体部に格納した状態の平面図である。
【符号の説明】
Ａ  テーブル          Ｂ  パネル（オプション）
１  天板              ２  脚柱
３  固定部材          ４  上端キャップ
５  支持部材          ６  湾曲凹部
７  取付体            ８  支持杆
８Ａ  上面            ８Ｂ  下面
８Ｃ  側面            ９  開口
１０  支持孔          １１  本体部
１２  脚片            １３  挿通孔
１４  上端縁部        １５  係合突起
１６  凹部            １７  蓋体
１８  支柱            １９  軸部
２０  突縁            ２１  補強リブ
２２  連結リブ        ２３  連通開口
２４  中央リブ        ２５  内壁面
２６  側方リブ        ２７  挟持片
２８  閉塞板          ２９  突起
３０  嵌合片          ３１  係合孔
３２  嵌合縁          ３３  切欠部
３４  拡幅部
【図１】
0003591398.tif 000002
【図２】
0003591398.tif 000003
【図３】
0003591398.tif 000004
【図４】
0003591398.tif 000005
【図５】
0003591398.tif 000006
【図６】
0003591398.tif 000007
【図７】
0003591398.tif 000008
【図８】
0003591398.tif 000009